(57)【要約】  プッシュ・ツー・トーク（ＰＴＴ）システムにおける最後の話者の識別子情報を表示する装置および方法である。ワイヤレス通信デバイスは、ＰＴＴ通信とＰＴＴ話者の識別情報とを遠隔サーバから受信する。現在の話者からのＰＴＴ通信を再生している間、ワイヤレス通信デバイスは、少なくとも最後の話者の識別子情報を表示する。【選択図】      図３
2008538062.tif 000002
【特許請求の範囲】
【請求項１】
ワイヤレス通信ネットワーク上でのプッシュ・ツー・トーク（ＰＴＴ）通信における最後の話者の識別子をワイヤレス通信デバイス上に表示する方法において、
ワイヤレス通信デバイスにおいて、第１のＰＴＴ通信の第１の話者の第１の識別子情報をサーバから受信するステップと、
ワイヤレス通信デバイスにおいて、第２の話者から発生された第２のＰＴＴ通信を受信するステップと、
ワイヤレス通信デバイス上で第２のＰＴＴ通信を再生するステップと、
ワイヤレス通信デバイス上に第１の識別子情報を表示するステップとを含み、
第１の識別子情報は、ワイレス通信ネットワークを通して受信される方法。
【請求項２】
ワイヤレス通信デバイスにおいて、第２の話者の第２の識別子情報を受信するステップと、
予め規定された期間にわたって第１の識別子情報が表示された後、第２の識別子情報を表示するステップとをさらに含む請求項１記載の方法。
【請求項３】
予め規定された期間の識別子情報の表示期間をワイヤレス通信デバイスのユーザから受け取るステップと、
予め規定された期間をワイヤレス通信デバイス中に記憶させるステップとをさらに含む請求項２記載の方法。
【請求項４】
予め規定された期間をワイヤレス通信デバイスから取り出すステップをさらに含む請求項２記載の方法。
【請求項５】
呼び出しキーをアクティブ化して、第１の識別子情報を表示するステップをさらに含む請求項１記載の方法。
【請求項６】
第１の識別子情報が表示されている間に、第２の話者の第２の識別子情報が受信された場合、第１の識別子情報と第２の識別子情報とをワイヤレス通信デバイス上に表示するステップをさらに含む請求項１記載の方法。
【請求項７】
第１の話者に属するとして、第１の識別子情報を識別するインジケータを表示するステップをさらに含む請求項６記載の方法。
【請求項８】
第２の話者に属するとして、第２の識別子情報を識別するインジケータを表示するステップをさらに含む請求項６記載の方法。
【請求項９】
ワイヤレス通信ネットワーク上でのプッシュ・ツー・トーク（ＰＴＴ）通信における最後の話者の識別子を表示する装置において、
ＰＴＴ通信を送信および遠隔サーバからのＰＴＴ通信を受信するトランシーバと、
ＰＴＴ話者の識別子情報を表示する表示ユニットと、
遠隔話者から受信されたＰＴＴ通信を再生するユーザインターフェイスユニットと、
ＰＴＴ要求をユーザから受け取るＰＴＴインターフェイスと、
ユーザインターフェイスユニットが現在の話者からのＰＴＴ通信を再生している間、最後のＰＴＴ話者の識別子情報を表示するように表示ユニットに命令する制御装置とを具備し、
トランシーバは、ＰＴＴ話者の識別子情報も受信する装置。
【請求項１０】
表示ユニット上での最後の話者識別子に関するユーザ規定の時間期間のインジケーションを記憶する記憶ユニットをさらに具備する請求項９記載の装置。
【請求項１１】
識別子情報の表示を呼び出すための呼び出しキーをさらに具備する請求項９記載の装置。
【請求項１２】
表示ユニット上の識別子情報の表示を制御する表示タイマをさらに具備する請求項９記載の装置。
【請求項１３】
表示ユニットは、１人より多いＰＴＴ話者の識別子情報を同時に表示することが可能である請求項９記載の装置。
【請求項１４】
表示ユニットは、２人以上のＰＴＴ話者の識別子情報を表示しているときに、最後のＰＴＴ話者の識別子情報を示すことが可能である請求項９記載の装置。
【請求項１５】
ワイヤレス通信ネットワーク上でのプッシュ・ツー・トーク（ＰＴＴ）通信における最後の話者の識別子を表示する装置において、
ＰＴＴ通信とＰＴＴ話者の識別子情報とを遠隔サーバから受信する手段と、
ＰＴＴ話者の識別子情報を表示する手段と、
遠隔話者から受信されたＰＴＴ通信を再生する手段と、
ＰＴＴ要求をユーザから受け取る手段と、
ユーザインターフェイスユニットが現在の話者からのＰＴＴ通信を再生している間、最後のＰＴＴ話者の識別子情報を表示するように表示ユニットに命令する手段とを具備する装置。
【請求項１６】
表示ユニット上での最後の話者識別子に関するユーザ規定の時間期間のインジケーションを記憶する手段をさらに具備する請求項１５記載の装置。
【請求項１７】
識別子情報の表示を呼び出す手段をさらに具備する請求項１５記載の装置。
【請求項１８】
表示ユニット上の識別子情報の表示の持続期間を制御する手段をさらに具備する請求項１５記載の装置。
【請求項１９】
識別子情報を表示する手段は、１人より多いＰＴＴ話者の識別子情報を同時に表示することが可能である請求項１５記載の装置。
【請求項２０】
識別子情報を表示する手段は、２人以上のＰＴＴ話者の識別子情報を表示しているときに、最後のＰＴＴ話者の識別子情報を示すことが可能である請求項１５記載の装置。
【請求項２１】
ワイヤレス通信ネットワーク上でのプッシュ・ツー・トーク（ＰＴＴ）通信における最後の話者の識別子を表示するためのコンピュータプログラムが記憶されているコンピュータ読取可能な媒体において、
コンピュータプログラムはコンピュータ命令を含み、
コンピュータ命令は、コンピュータによって実行されるときに、
第１のＰＴＴ通信の第１の話者の第１の識別子情報をサーバから受信するステップと、
第２の話者から発生された第２のＰＴＴ通信を受信するステップと、
ワイヤレス通信デバイス上で第２のＰＴＴ通信を再生するステップと、
ワイヤレス通信デバイス上に第１の識別子情報を表示するステップとを実行し、
第１の識別子情報は、ワイヤレス通信ネットワークを通して受信されるコンピュータ読取可能な媒体。
【請求項２２】
第１の識別子情報は、予め規定された期間にわたって表示される請求項２１記載のコンピュータプログラム。
【請求項２３】
予め規定された期間の時間期間のインジケーションをユーザから受け取るステップと、
時間期間のインジケーションをワイヤレス通信デバイス中に記憶させるステップとをさらに実行する請求項２２記載のコンピュータプログラム。
【請求項２４】
呼び出しキーをアクティブ化して、第１の識別子情報を表示するステップをさらに実行する請求項２１記載のコンピュータプログラム。
【請求項２５】
時間期間のインジケーションをワイヤレス通信デバイスから取り出すステップをさらに実行する請求項２１記載のコンピュータプログラム。
【請求項２６】
第１の識別子情報が表示されている間に、第２の話者の第２の識別子情報が受信された場合、第１の識別子情報と第２の識別子情報とをワイヤレス通信デバイス上に表示するステップをさらに実行する請求項２１記載のコンピュータプログラム。
【請求項２７】
第１の話者に属するとして、第１の識別子情報を識別するインジケータを表示するステップをさらに実行する請求項２６記載のコンピュータプログラム。
【請求項２８】
第２の話者に属するとして、第２の識別子情報を識別するインジケータを表示するステップをさらに実行する請求項２６記載のコンピュータプログラム。
【発明の詳細な説明】
【発明の分野】
【０００１】
本発明は、一般的に、ワイヤレス通信に関し、さらに詳細に述べると、ワイヤレスネットワーク上でのプッシュ・ツー・トークシステムにおける最後、すなわち前の話者を識別する装置および方法に関する。
【関連技術の説明】
【０００２】
技術進歩によって、移動体電話機またはワイヤレス通信デバイスは低価格になり、ほぼ全員に対して入手可能になった。ワイヤレス電話機が、より高い処理能力および記憶装置を持つように製造されるにしたがって、ワイヤレス電話機は、さらに汎用性が高くなり、また、２つ以上の個々のハンドセット間のダイレクト無線通信能力を備える多くの機能が組み込まれる。このダイレクト無線通信能力は、一般的に、プッシュ・ツー・トーク（ＰＴＴ）すなわち「ウォーキートーキー」機能として知られており、この機能によって、１つのハンドセットを持つユーザは、目的地の電話番号をダイヤルしなくても、グループの予め規定された組のメンバと通信することができる。
【０００３】
ＰＴＴシステムの１つのタイプでは、ハンドセットは、遠隔サーバとの上り方向および下り方向の双方の通信に対して１つの単一周波数を使用しているが、標準のワイヤレス通信におけるワイヤレス電話機は、サーバと通信するために、上り方向通信に対して１つ、そして下り方向通信に対して１つ、すなわち２つの周波数を使用している。ＰＴＴシステムでは、話しする人物が、会話している間にボタンを押し、そして、会話が終了したときにボタンを離すことが必要である。グループ中のあらゆる受話者は、受話者のＰＴＴシステムのボタンを押すと応答することができる。このように、信号が伝わる方向をシステムが決定することが可能である。ユーザが、ＰＴＴシステムを使用して、受信者または受信者のグループに対して通話を行うときに、ユーザのハンドセットが、最初に、遠隔サーバに対して要求を行う。遠隔サーバは、通信チャネルを使用している他の者がいないことを確認して、チャネルが利用可能であると、チャネルをユーザに割り当てる。ユーザのメッセージがサーバによって受信されると、サーバは、各受信者およびすべての受信者に対するメッセージを複製する。サーバが、すべての受信者に対してメッセージをブロードキャストすることが可能である場合には、サーバは、メッセージを複製する必要はないかもしれない。メッセージがすべての受信者に送信された後、チャネルは、開放され、他の者たちによる使用のために準備される。
【０００４】
別のタイプのＰＴＴシステムでは、セルラ技術は、通信デバイスのグループに接続するために利用されている。反対に、標準の「ウォーキートーキー」スタイルの二方向無線は、互いの、ある距離内に無線が存在する場合のみに動作するだろう。セルラ通信を使用してＰＴＴ機能を実現するシステムは、システムのサービスプロバイダによって指定されているサービスエリア内のどこでも、一般的に、大都会エリア、または全国的にでさえ通信することができる。
【０００５】
一般的に、ＰＴＴ機能による通信では、話者の識別子は識別されず、受信者は、話者の音声によって推測しなければならない。さらに、話者の識別子が正確に識別されるＰＴＴシステムにおいて、多くのメンバがＰＴＴ通信グループに参加している場合、話者の識別子は、簡単に忘れられたり、および次の話者の識別子情報によってすぐに上書きされてしまったりする。したがって、ＰＴＴシステムにおける最後の話者の識別を可能にするシステムに本発明は向けられている。
【発明の概要】
【０００６】
本発明にしたがった装置および方法によって、ワイヤレス通信ネットワークにおけるプッシュ・ツー・トーク通信中に、最後の話者の識別が可能になる。方法は、第１のＰＴＴ通信の第１の話者の第１の識別子情報をサーバから受信することと、第２の話者から発生された第２のＰＴＴ通信を受信することと、ワイヤレス通信デバイス上で第２のＰＴＴ通信を再生することと、ワイヤレス通信デバイス上に第１の識別子情報を表示することとを含む。第１の識別子情報は、ワイヤレス通信ネットワークを通して受信される。前の話者の識別子のシーケンスも表示されてもよい。
【０００７】
１つの実施形態では、本発明は、ワイヤレス通信ネットワーク上でのプッシュ・ツー・トーク（ＰＴＴ）通信における最後（すなわち前）の話者の識別子を表示する装置である。装置は、トランシーバと、表示ユニットと、ユーザインターフェイスユニットと、プッシュ・ツー・トークインターフェイスと、制御装置とを具備する。トランシーバは、プッシュ・ツー・トーク通信とＰＴＴ話者の識別子情報とを送信して遠隔サーバからこれらを受信する。表示ユニットは、ＰＴＴ話者の識別子情報を表示する。ユーザインターフェイスユニットは、遠隔話者から受信したＰＴＴ通信を再生する。プッシュ・ツー・トークインターフェイスは、プッシュ・ツー・トーク要求をユーザから受信する。ユーザインターフェイスユニットが現在の話者からのＰＴＴ通信を再生している間に、最後のＰＴＴ話者の識別子情報を表示するように、制御装置は表示ユニットに命令する。
【０００８】
したがって、ＰＴＴシステムにおける１人以上の前の話者の識別子をユーザが迅速に識別することを可能にするので、本発明の装置および方法は効果的である。本発明の他の効果および特徴は、図面の簡単な説明、本発明の詳細な説明および特許請求の範囲に記載されている以後のものを見た後に明らかになるであろう。
【発明の詳細な説明】
【０００９】
この説明では、「通信デバイス」、「ワイヤレスデバイス」、「ワイヤレス通信デバイス」、「ワイヤレスハンドセット」、「ハンドヘルドデバイス」、および「ハンドセット」というこれらの言葉を同義的に用いる。また、ここで用いるような「アプリケーション」という言葉には、実行可能および実行不可能なソフトウェアファイル、生データ、集積データ、パッチおよび他のコードセグメントを含めていることを意図している。さらに、同じ番号はいくつかの図面を通して同じ構成要素を参照し、説明において特定しない限り、冠詞「ａ」および「ｔｈｅ」は複数形の参照を含む。
【００１０】
概略では、本発明の装置および方法によって、多くの参加者が存在するＰＴＴ通信における、前の、すなわち最後の話者の即座な識別が可能になる。図１は、本発明にしたがって使用される通信ネットワーク１００の１つの実施形態を図示している。通信ネットワーク１００は、１つ以上の通信タワー１０６を備えており、各通信タワー１０６は、基地局（ＢＳ）１１０に接続されており、通信デバイス１０２を持つユーザを受け持っている。通信デバイス１０２は、セルラ電話機、ページャ、パーソナルデジタルアシスタント（ＰＤＡ）、ラップトップコンピュータ、あるいはプッシュ・ツー・トーク（ＰＴＴ）通信をサポートする他のハンドヘルドデバイス、静的デバイス、またはポータブル通信デバイスであってもよい。各ユーザによって入力されるコマンドおよびデータは、デジタルデータとして通信タワー１０６に送信される。通信デバイス１０２を使用しているユーザと通信タワー１０６との間の通信は、コード分割多元接続（ＣＤＭＡ）、時間分割多元接続（ＴＤＭＡ）、周波数分割多元接続（ＦＤＭＡ）、グローバルシステムフォーモバイル通信（ＧＳＭ）、あるいはワイヤレス通信ネットワークまたはデータ通信ネットワークにおいて使用される他のプロトコルのような異なる技術に基づいているものであってもよい。各ユーザからのデータは、通信タワー１０６から基地局（ＢＳ）１１０に送られて、移動スイッチングセンター（ＭＳＣ）１１４に転送される。この移動スイッチングセンター（ＭＳＣ）１１４は、公衆電話交換ネットワーク（ＰＳＴＮ）１１８およびインターネット１２０に接続されていてもよい。
【００１１】
ＭＳＣ１１４は、通信ネットワーク１００におけるＰＴＴ機能をサポートするサーバ１１６に接続されていてもよい。サーバ１１６は、ＰＴＴ機能をサポートするアプリケーションを含んでおり、また、ＰＴＴ通信グループのメンバ間でＰＴＴ通信を確立することが可能である。サーバ１１６は、ＰＴＴ通信グループメンバからＰＴＴ通信を受信して、話者の識別子とともにすべての他のグループメンバにＰＴＴ通信を転送する。オプション的に、サーバ１１６は、ＭＳＣ１１４の一部分であってもよい。データ専用セルラネットワークでは、ＭＳＣ１１４は不要であってもよいことに留意すべきである。データ専用セルラネットワークでは、データパケットは、基地局によって受信され、パケットデータサービスノード（ＰＤＳＮ）によって処理されて、ネットワーク中の他のサーバに転送される。
【００１２】
図２は、ワイヤレスハンドセット１０２の１つの実施形態のブロック図２００を図示している。ワイヤレスハンドセット１０２は、制御装置２０２と、記憶ユニット２０４と、表示ユニット２０６と、外部インターフェイスユニット２０８と、ユーザインターフェイスユニット２１２と、プッシュ・ツー・トークアクティブ化ユニット２１０と、トランシーバ２１４と、アンテナ２１６とを備えている。制御装置２０２は、ハードウェア、ソフトウェア、またはこれらの組み合わせであってもよい。制御装置２０２は、ＰＴＴ通信話者の識別子情報の受信および表示を管理する。制御装置２０２は、現在の話者の識別子および最後の話者の識別子を追跡し、クロックを使用して、ＰＴＴ通信の持続期間を追跡する。記憶ユニット２０４は、複数のＰＴＴ通信グループを記憶してもよく、各ＰＴＴ通信グループはメンバのリストを含む。表示ユニット２０６は、サーバ１１６から受信した話者の識別子についての情報、またはユーザに対する他のデジタル情報を表示してもよい。表示ユニット２０６は、１つより多い１行の情報を表示してもよい。外部インターフェイスユニット２０８は、スピーカー、マイクロフォン、および表示ユニットのような、ユーザとの通信に使用されるハードウェアを制御する。ユーザインターフェイス２１２は、キーパッドおよびプッシュ・ツー・トークアクティブ化ユニット２１０のようなハードウェアを制御する。トランシーバ２１４は、無線信号を通信タワー１０６に送信して、無線信号を通信タワー１０６から受信する。制御装置２０２は、ユーザおよび通信ネットワーク１００から受信したコマンドおよびデータを解釈する。
【００１３】
図３は、ＰＴＴ通信プロセス中の（グループ通信サーバとして（も）知られている）サーバとユーザデバイスとの間の命令を表している図３００である。開始ユーザデバイス３０２とサーバ３０４との間の通信は、ユーザがＰＴＴボタンをアクティブ化するまで行われない。一般的に、ユーザは、予め規定されたＰＴＴグループのメンバまたはその場限りのＰＴＴグループのメンバとＰＴＴ通信を開始してもよい。ワイヤレスデバイスは、その識別子とともに、ＰＴＴ通信チャネル要求をサーバ３０４に送る。ＰＴＴ通信チャネル要求が受信されると、ＰＴＴ通信チャネルの利用可能性をサーバ３０４がチェックして、ＰＴＴ通信チャネルが利用可能である場合に、開始ユーザデバイス３０２に対してＰＴＴ通信チャネルを許可する。開始ユーザデバイス３０２に対してＰＴＴ通信チャネルの使用が許可された後に、ワイヤレスデバイス３０２はユーザオーディオをサーバ３０２に送る。ユーザオーディオおよびユーザ情報が受信されると、開始ユーザデバイス３０２がオーディオメッセージを送ることを望むＰＴＴ通信グループのメンバ３０６ないし３１２をサーバ３０４が識別する。また、サーバ３０４は、オーディオメッセージを複製して、開始ユーザ（話者）識別子情報とともにこの複製をＰＴＴ通信グループの各メンバ３０６ないし３１２に送る。
【００１４】
図４は、ディスプレイスクリーン４０４上に話者リスト４１０を表示しているワイヤレス通信デバイス４００を図示している。ユーザは、ＰＴＴボタン４０６をアクティブ化することによって、ＰＴＴ通信を開始してもよい。ユーザのオーディオは、マイクロフォン４０８によって捕らえられると、サーバ１１６に送信され、そして、サーバ１１６から受信されたオーディオは、スピーカー４０２を通してユーザに対して再生される。さらに、ワイヤレス通信デバイス４００は、ＰＴＴ話者の識別子情報もサーバ１１６から受信する。ＰＴＴ話者の識別子は、話者リスト４１０上に表示される。ディスプレイスクリーン４０４上に示されている話者リスト４１０では、２つのエントリ４１２および４１４を表示している。１つのエントリ４１２は、現在の話者としてマークされており、もう一方のエントリ４１４は、最後の話者としてマークされている。代わりに、ディスプレイスクリーン４０４は、最後の話者の識別子のみを表示してもよいし、または、順序正しいフォームで、すべての過去の話者を含む話者リストを表示してもよく、この場合、現在の話者は最上段にリストアップされ、その後に最後の話者が続き、その後に、１つ前の最後の話者が続くなどしてもよい。表示の長さは、表示タイマによって制御されてもよく、そのタイマは、ユーザによって設定されてもよい。代わりに、表示は、表示期間が終了した後に呼び出されてもよい。ワイヤレス通信デバイス上の予め規定されているキーをアクティブ化することによって、ユーザが話者リストを呼び出してもよい。また、各エントリには、ＰＴＴメッセージが受信された時間を示しているタイムスタンプが添付されていてもよい。話者リストを表示する異なった方法を当業者は正しく認識するだろう。
【００１５】
ディスプレイスクリーン４０４が、１つの識別子情報しか同時に表示することができない代替実施形態では、前の話者の識別子情報が、予め規定された期間にわたって表示されるまでは、現在の話者の識別子情報は表示されないだろう。ユーザが表示時間を５秒に設定した場合、前の話者の識別子情報が５秒間表示されるまでは、現在の話者の識別子情報は表示されないだろう。このような実施形態では、識別子情報が前の話者からのものであることをすぐにユーザが認識できるように、前の識別子情報の表示が、ディスプレイ上でユーザに対して明瞭に示されることが好ましい。
【００１６】
ＰＴＴ通信が終了された後、話者リストはクリアされてもよい。話者リストをクリアする１つの方法は、タイマを使用することである。予め規定された時間期間に対して、ＰＴＴグループのメンバ間のＰＴＴ通信がない場合、ワイヤレス通信デバイス４００は、ＰＴＴ通信の話者リストをクリアする。タイマは、ワイヤレス通信デバイス上でユーザによって設定されてもよい。代わりに、タイマは、サーバによって設定されてもよい。
【００１７】
図５は、ワイヤレスデバイスプロセス５００のフローチャートである。ステップ５０２において、ワイヤレス通信デバイス１０２がＰＴＴ通信をサーバ１１６から受信すると、ステップ５０４において、ワイヤレス通信デバイス１０２がＰＴＴ通信を再生し、そして、ステップ５０６において、話者識別を受信する。ステップ５０８において、ワイヤレス通信デバイス１０２は、割り当てられている現在の話者がいるか否かをチェックする。ワイヤレス通信デバイス１０２が、ＰＴＴ通信中の現在の話者の識別子を追跡し、ＰＴＴ通信グループにおけるＰＴＴ通信が終了したとき、現在の話者の識別子はクリアされる。話者の識別子は話者リストによって追跡されてもよく、話者リストは、前に説明したようにクリアされてもよい。現在の話者として誰も割り当てられていない（受信された通信が、ＰＴＴ通信グループのメンバ間のＰＴＴ通信の起動通信である）場合、ステップ５１０において、ワイヤレス通信デバイス１０２が、受信した話者の識別子を現在の話者としてマークし、ステップ５１２において、話者リストをユーザに表示する。話者リストは、予め規定された時間の期間にわたって表示される。
【００１８】
現在の話者がいる場合（受信した通信が追跡通信であるとき）、ステップ５１０において、ワイヤレス通信デバイス１０２は現在の話者を最後の話者に変更して、受信した識別子を現在の話者としてマークする。話者リストを表示した後、ステップ５１６において、別のＰＴＴ通信があるか否かをワイヤレス通信デバイス１０２がチェックし、通信があった場合、別のＰＴＴ通信を受信するためにステップは進む。別のＰＴＴ通信がない場合、ステップ５１８において、ワイレス通信デバイス１０２がＰＴＴ通信の話者リストをクリアする。
【００１９】
以下は、本発明の１つの実施形態にしたがった１つの使用シナリオの記述である。建設現場で働いているエンジニアが、２０人の建設作業員の班を監督している。各作業員は、ＰＴＴ通信可能なワイレスデバイスを携帯しており、エンジニアを含むすべての作業員は、同一のＰＴＴ通信グループに属している。エンジニアが、このワイヤレスデバイス上での表示時間を５秒に設定している。そして、建設現場において、ジェイムズおよびビルの２人が班長である班の全員がその日の作業のために姿を見せているか否かを、エンジニアが、ＰＴＴ通信を使用して２人の班長に尋ねる。最初に、１人の作業員がいない状態であると、ジェイムズが応答し、続いて、２人の作業員がいない状態であると、ビルが応答した。ジェイムズおよびビルからの応答は交互にブロードキャストされるが、２人の名前はどちらも提示されていない。ジェイムズからのＰＴＴ通信がエンジニアのワイヤレスデバイスによって受信されたとき、ワイヤレスデバイスは、ジェイムズからのＰＴＴ通信は、受信された第１のＰＴＴ通信であることをチェックし、そして、ワイヤレスデバイスは、ジェイムズを現在の話者として設定して、話者情報を表示する（エンジニアによって、より早くブロードキャストされたＰＴＴ通信は、エンジニア自身のデバイスに返信されないのでカウントしていない）。ビルからのＰＴＴ通信がエンジニアのワイヤレスデバイスによって受信されたときに、ワイヤレスデバイスは、現在の話者がジェイムズに設定されていることを認識し、そして、ジェイムズを最後の話者に変更し、現在の話者をビルに設定する。その後、ワイヤレスデバイスが話者情報を表示する。ワイヤレスデバイスでは、ジェイムズおよびビルの両者がリストアップされており、ジェイムズは最後の話者としてリストアップされており、ビルは現在の話者としてリストアップされている。
【００２０】
エンジニアは気が散って、最初に誰が応答したかを把握せずに、第１の応答者には１人の作業員がおらず、第２の応答者には２人の作業員がいないことだけに気付く。応答の順番をすぐに呼び出すために、エンジニアが、呼び出しキーをアクティブ化すると、話者リストがディスプレイスクリーン上に表示される。エンジニアは、自身のワイヤレスデバイス上のディスプレイに目を通して、ジェイムズが最初に応答し、ビルが続いて応答したことを認識する。そしてさらに、現在、１人の作業員がいないことにジェイムズが気付いており、２人の作業員がいないことにビルが気付いていることをエンジニアは把握する。
【００２１】
ワイヤレスサービスプロバイダのコンピュータデバイス上またはワイヤレス通信デバイス上で実行可能な方法を考慮すると、方法は、コンピュータ読取可能な媒体に常駐しているプログラムによって行われる。プログラムは、コンピュータプラットフォームを持つサーバまたは他のコンピュータデバイスに対して方法のステップを行うように指示する。コンピュータ読取可能な媒体はサーバのメモリであってもよく、または接続可能なデータベース中に存在していてもよい。さらに、磁気ディスクまたはテープ、光ディスク、ハードディスク、フラッシュメモリ、あるいは技術的に知られている他の記憶媒体のような、ワイヤレス通信デバイスコンピュータプラットフォーム上にロード可能な二次記憶媒体中に、コンピュータ読取可能な媒体は存在することができる。
【００２２】
図５の状況において、方法は、例えば、ワイヤレス通信デバイスまたはサーバのようなワイヤレスネットワークの一部分を動作させることによって、機械読取可能な命令のシーケンスを実行するように実現してもよい。命令は、さまざまなタイプの信号担持またはデータ記憶の一次、二次または三次の媒体に存在してもよい。媒体は、例えば、ワイヤレスネットワークのコンポーネントによりアクセス可能な（示されていない）ＲＡＭ、または、そのコンポーネント内に存在する（示されていない）ＲＡＭを含んでいてもよい。ＲＡＭ、ディスケット（登録商標）、または他の二次記憶媒体中に含まれているか否かにより、ＤＡＳＤ記憶装置（例えば、従来の「ハードドライブ」またはＲＡＩＤアレイ）、磁気テープ、電子リードオンリーメモリ（例えば、ＲＯＭ、ＥＰＲＯＭまたはＥＥＰＲＯＭ）、フラッシュメモリカード、光記憶デバイス（例えば、ＣＤ−ＲＯＭ、ＷＯＲＭ、ＤＶＤ、デジタル光テープ）、ペーパー「パンチ」カード、あるいはデジタルおよびアナログ送信媒体を含む他の適切なデータ記憶媒体のような、さまざまな機械読取可能なデータ記憶媒体上に命令を記憶させてもよい。
【００２３】
これらの好ましい実施形態に関連して、本発明を詳しく示し、説明しているが、特許請求の範囲に記載されている本発明の精神および範囲を逸脱することなく、形態におけるさまざまな変更および細部にわたる変更ができることを、当業者は理解するであろう。さらに、本発明の構成要素は単数形で記述され、特許請求の範囲に記載されているが、単数形に対する限定が明示的に示されない限り、複数形を意図している。
【図面の簡単な説明】
【００２４】
【図１】図１は、プッシュ・ツー・トーク用のワイヤレスデバイスのグループをサポートするワイヤレスネットワークアーキテクチャである。
【図２】図２は、プッシュ・ツー・トーク通信における前の話者の識別子をサポートするワイヤレスデバイスのブロック図である。
【図３】図３は、サーバと遠隔ワイヤレスデバイスとの間の命令を表している図である。
【図４】図４は、話者情報を表示しているワイヤレスデバイスの図示である。
【図５】図５は、ワイヤレスデバイス上に話者情報を表示するためのフローチャートである。
【図１】
2008538062.tif 000003
【図２】
2008538062.tif 000004
【図３】
2008538062.tif 000005
【図４】
2008538062.tif 000006
【図５】
2008538062.tif 000007
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク上でのプッシュ・ツー・トーク（ＰＴＴ）通信における最後の話者の識別子をワイヤレス通信デバイス上に表示する方法において、
ワイヤレス通信デバイスにおいて、第１のＰＴＴ通信の第１の話者の第１の識別子情報をサーバから受信するステップと、
ワイヤレス通信デバイスにおいて、第２の話者から発生された第２のＰＴＴ通信を受信するステップと、
ワイヤレス通信デバイス上で第２のＰＴＴ通信を再生するステップと、
ワイヤレス通信デバイス上に第１の識別子情報を表示するステップとを含み、
第１の識別子情報は、ワイレス通信ネットワークを通して受信される方法。
【請求項２】
ワイヤレス通信デバイスにおいて、第２の話者の第２の識別子情報を受信するステップと、
予め規定された期間にわたって第１の識別子情報が表示された後、第２の識別子情報を表示するステップとをさらに含む請求項１記載の方法。
【請求項３】
予め規定された期間の識別子情報の表示期間をワイヤレス通信デバイスのユーザから受け取るステップと、
予め規定された期間をワイヤレス通信デバイス中に記憶させるステップとをさらに含む請求項２記載の方法。
【請求項４】
予め規定された期間をワイヤレス通信デバイスから取り出すステップをさらに含む請求項２記載の方法。
【請求項５】
呼び出しキーをアクティブ化して、第１の識別子情報を表示するステップをさらに含む請求項１記載の方法。
【請求項６】
第１の識別子情報が表示されている間に、第２の話者の第２の識別子情報が受信された場合、第１の識別子情報と第２の識別子情報とをワイヤレス通信デバイス上に表示するステップをさらに含む請求項１記載の方法。
【請求項７】
第１の話者に属するとして、第１の識別子情報を識別するインジケータを表示するステップをさらに含む請求項６記載の方法。
【請求項８】
第２の話者に属するとして、第２の識別子情報を識別するインジケータを表示するステップをさらに含む請求項６記載の方法。
【請求項９】
ワイヤレス通信ネットワーク上でのプッシュ・ツー・トーク（ＰＴＴ）通信における最後の話者の識別子を表示する装置において、
ＰＴＴ通信を送信および遠隔サーバからのＰＴＴ通信を受信するトランシーバと、
ＰＴＴ話者の識別子情報を表示する表示ユニットと、
遠隔話者から受信されたＰＴＴ通信を再生するユーザインターフェイスユニットと、
ＰＴＴ要求をユーザから受け取るＰＴＴインターフェイスと、
ユーザインターフェイスユニットが現在の話者からのＰＴＴ通信を再生している間、最後のＰＴＴ話者の識別子情報を表示するように表示ユニットに命令する制御装置とを具備し、
トランシーバは、ＰＴＴ話者の識別子情報も受信する装置。
【請求項１０】
最後の話者識別子を表示ユニット上で表示させる期間である、ユーザによって規定された時間期間のインジケーションを記憶する記憶ユニットをさらに具備する請求項９記載の装置。
【請求項１１】
識別子情報の表示を呼び出すための呼び出しキーをさらに具備する請求項９記載の装置。
【請求項１２】
表示ユニット上の識別子情報の表示を制御する表示タイマをさらに具備する請求項９記載の装置。
【請求項１３】
表示ユニットは、１人より多いＰＴＴ話者の識別子情報を同時に表示することが可能である請求項９記載の装置。
【請求項１４】
表示ユニットは、２人以上のＰＴＴ話者の識別子情報を表示しているときに、最後のＰＴＴ話者の識別子情報を示すことが可能である請求項９記載の装置。
【請求項１５】
ワイヤレス通信ネットワーク上でのプッシュ・ツー・トーク（ＰＴＴ）通信における最後の話者の識別子を表示する装置において、
ＰＴＴ通信とＰＴＴ話者の識別子情報とを遠隔サーバから受信する手段と、
ＰＴＴ話者の識別子情報を表示する手段と、
遠隔話者から受信されたＰＴＴ通信を再生する手段と、
ＰＴＴ要求をユーザから受け取る手段と、
ユーザインターフェイスユニットが現在の話者からのＰＴＴ通信を再生している間、最後のＰＴＴ話者の識別子情報を表示するように表示ユニットに命令する手段とを具備する装置。
【請求項１６】
最後の話者識別子を表示ユニット上で表示させる期間である、ユーザによって規定された時間期間のインジケーションを記憶する手段をさらに具備する請求項１５記載の装置。
【請求項１７】
識別子情報の表示を呼び出す手段をさらに具備する請求項１５記載の装置。
【請求項１８】
表示ユニット上の識別子情報の表示の持続期間を制御する手段をさらに具備する請求項１５記載の装置。
【請求項１９】
識別子情報を表示する手段は、１人より多いＰＴＴ話者の識別子情報を同時に表示することが可能である請求項１５記載の装置。
【請求項２０】
識別子情報を表示する手段は、２人以上のＰＴＴ話者の識別子情報を表示しているときに、最後のＰＴＴ話者の識別子情報を示すことが可能である請求項１５記載の装置。
【請求項２１】
ワイヤレス通信ネットワーク上でのプッシュ・ツー・トーク（ＰＴＴ）通信における最後の話者の識別子を表示するためのコンピュータプログラムが記憶されているコンピュータ読取可能な媒体において、
コンピュータプログラムはコンピュータ命令を含み、
コンピュータ命令は、コンピュータによって実行されるときに、
第１のＰＴＴ通信の第１の話者の第１の識別子情報をサーバから受信するステップと、
第２の話者から発生された第２のＰＴＴ通信を受信するステップと、
ワイヤレス通信デバイス上で第２のＰＴＴ通信を再生するステップと、
ワイヤレス通信デバイス上に第１の識別子情報を表示するステップとを実行し、
第１の識別子情報は、ワイヤレス通信ネットワークを通して受信されるコンピュータ読取可能な媒体。
【請求項２２】
第１の識別子情報は、予め規定された期間にわたって表示される請求項２１記載のコンピュータ読取可能な媒体。
【請求項２３】
予め規定された期間の時間期間のインジケーションをユーザから受け取るステップと、
時間期間のインジケーションをワイヤレス通信デバイス中に記憶させるステップとをさらに実行する請求項２２記載のコンピュータ読取可能な媒体。
【請求項２４】
呼び出しキーをアクティブ化して、第１の識別子情報を表示するステップをさらに実行する請求項２１記載のコンピュータ読取可能な媒体。
【請求項２５】
時間期間のインジケーションをワイヤレス通信デバイスから取り出すステップをさらに実行する請求項２１記載のコンピュータ読取可能な媒体。
【請求項２６】
第１の識別子情報が表示されている間に、第２の話者の第２の識別子情報が受信された場合、第１の識別子情報と第２の識別子情報とをワイヤレス通信デバイス上に表示するステップをさらに実行する請求項２１記載のコンピュータ読取可能な媒体。
【請求項２７】
第１の話者に属するとして、第１の識別子情報を識別するインジケータを表示するステップをさらに実行する請求項２６記載のコンピュータ読取可能な媒体。
【請求項２８】
第２の話者に属するとして、第２の識別子情報を識別するインジケータを表示するステップをさらに実行する請求項２６記載のコンピュータ読取可能な媒体。